【手続補正書】
【提出日】令和3年6月4日(2021.6.4)
【手続補正１】
【補正対象書類名】特許請求の範囲
【補正対象項目名】全文
【補正方法】変更
【補正の内容】
【特許請求の範囲】
【請求項１】
第１のアクセスポイント（ＡＰ）によって実行される方法であって、
無免許周波数帯域内の複数の動作チャネルの中からの、第１の技術を使用してネットワークへのワイヤレスアクセスを提供するために少なくとも第１の動作チャネルを利用することと、
第１の技術基準仕様書において指定された第１の周期間隔の間に、前記第１の技術基準仕様書において指定された専用発見チャネルを介して前記第１の技術に関連する第１の発見情報を送信することと
を備え、前記第１の発見情報は、前記第１のＡＰによって利用される前記第１の動作チャネルの第１の識別子を含み、前記専用発見チャネルは、前記第１の動作チャネルと異なり、前記専用発見チャネルは、前記第１の技術基準仕様書と異なる第２の技術基準仕様書において指定された第２の周期間隔の間に第２の発見情報の送信のために局で共有され、前記第２の発見情報は、第２の技術に関連する、
方法。
【請求項２】
前記専用発見チャネルは、前記無免許周波数帯域内の前記複数の動作チャネルのうちの１つである、
請求項１に記載の方法。
【請求項３】
前記専用発見チャネルは、前記無免許周波数帯域の中央チャネル、最低の番号を付けられたチャネル、最高の番号を付けられたチャネルのうちの１つにロケートされる、
請求項２に記載の方法。
【請求項４】
前記専用発見チャネルは、前記無免許周波数帯域の外側にある周波数帯域にロケートされる、
請求項１に記載の方法。
【請求項５】
前記発見情報を送信することは、前記専用発見チャネル上でブロードキャストされる発見メッセージ中に前記第１の発見情報を含むことを備える、
請求項１に記載の方法。
【請求項６】
前記専用発見チャネルのロケーションは、前記１つまたは複数の局によって導入された少なくとも前記第１の技術基準仕様書によって指定される、
請求項１に記載の方法。
【請求項７】
前記第１の発見情報は、基本サービスセット（ＢＳＳ）情報、サービスセットアイデンティフィケーション（ＳＳＩＤ）、前記第１の動作チャネルのための動作パラメータ、前記第１のＡＰのワイヤレスサービス能力、サポートされるプロトコルのリスト、および前記第１のＡＰによって利用されている他のチャネルのリストから成るグループから選択された少なくとも１つのメンバをさらに含む、
請求項１に記載の方法。
【請求項８】
前記第１の発見情報は、前記第１のＡＰが前記第１のＡＰと第１の局との間で共有された１つまたは複数の動作パラメータの交渉を許可することになるかどうかを示すインジケータをさらに含む、
請求項７に記載の方法。
【請求項９】
第２のネットワークの第２のＡＰによって利用される第２の動作チャネルを決定することと、
前記第１のＡＰによって利用される前記第１の動作チャネルおよび前記第２のＡＰによって利用される前記第２の動作チャネルを識別するアグリゲートされた発見情報を決定することと、
前記専用発見チャネル上で前記アグリゲートされた発見情報を送信することと
をさらに備える、請求項１に記載の方法。
【請求項１０】
前記第１の発見情報は、前記専用発見チャネル上で送信されたメッセージの技術指定ペイロード中に含まれ、
前記メッセージは、デバイスの第１のクラスおよびデバイスの第２のクラスによって復号可能であるヘッダを含み、前記ヘッダは、前記技術指定ペイロードの技術タイプを示し、
前記技術指定ペイロードは、前記技術タイプを利用するデバイスの前記第１のクラスによって復号可能であり、
前記技術指定ペイロードは、前記技術タイプを利用しないデバイスの前記第２のクラスによって無視される、
請求項１に記載の方法。
【請求項１１】
前記第１の動作チャネルを利用することは、ＡＰ−管理されたスケジュールに従って前記第１の動作チャネル上での１つまたは複数の局のためのアップリンクおよびダウンリンク送信をスケジュールすることを備え、
前記第１の発見情報を送信することは、
前記ＡＰ−管理されたスケジュールにおける不活性期間を決定することと、
前記第１の動作チャネルから前記専用発見チャネルに切り替えることと、
前記不活性期間の間前記専用発見チャネル上で前記第１の発見情報を送信することと
を備える、請求項１に記載の方法。
【請求項１２】
前記専用発見チャネルは、前記複数の動作チャネルのうちの１つに関連付けられた周波数範囲にロケートされ、前記周波数範囲は、いくつかの時間期間の間前記専用発見チャネルとして使用され、前記周波数範囲は、他の時間期間の間、前記複数の動作チャネルのうちの別のものとして使用される、
請求項１に記載の方法。
【請求項１３】
前記専用発見チャネルは、プライマリ専用発見チャネルおよびセカンダリ専用発見チャネルを備え、前記方法は、
前記プライマリ専用発見チャネルが使用できないと決定することと、
前記セカンダリ専用発見チャネルを介して前記発見情報を送信することと
をさらに備える、請求項１に記載の方法。
【請求項１４】
前記プライマリ専用発見チャネルが使用できないと決定することは、前記プライマリ専用発見チャネルが飽和したと決定することを備え、前記方法は、
前記第１の発見情報が前記セカンダリ専用発見チャネルを介して送信されることになると示すために前記プライマリ専用発見チャネル上でインジケータを送信することをさらに備える、
請求項１３に記載の方法。
【請求項１５】
前記プライマリ専用発見チャネルが使用できないと決定することは、前記プライマリ専用発見チャネルが別の送信機からの信号干渉に起因して使用できないと決定することを備える、
請求項１３に記載の方法。
【請求項１６】
前記第１の発見情報を送信することは、前記専用発見チャネル上の第１のタイムスロット中で前記第１の発見情報を送信することを備える、
請求項１に記載の方法。
【請求項１７】
前記第１のタイムスロットは、前記第１のＡＰおよび前記第２のＡＰを含むＡＰのグループによって共有され、ＡＰのグループ内の各ＡＰがタイムスロットの繰り返しのシーケンスにおける前記第１のタイムスロットの存在の利用を順に交代する、
請求項１６に記載の方法。
【請求項１８】
前記第１のタイムスロットは、中央コントローラによって前記第１のＡＰによって割り当てられる、
請求項１６に記載の方法。
【請求項１９】
前記第１の技術基準仕様書は、ワイヤレスローカルエリアネットワーキングプロトコルプロトコルに関連付けられ、前記第２の技術基準仕様書は、ワイドエリアネットワーキングプロトコルまたはパーソナルエリアネットワーキングプロトコルに関連付けられる、
請求項１に記載の方法。
【請求項２０】
第１のアクセスポイント（ＡＰ）であって、
プロセッサと、
前記プロセッサに結合されたメモリと
を備え、前記プロセッサによって実行されると、前記第１のＡＰに、
無免許周波数帯域内の複数の動作チャネルの中からの、第１の技術を使用して第１のネットワークへのワイヤレスアクセスを提供するために少なくとも第１の動作チャネルを利用することと、
第１の技術基準仕様書において指定された第１の周期間隔の間に、前記第１の技術基準仕様書において指定された専用発見チャネルを介して前記第１の技術に関連する第１の発見情報を送信することと
を行わせる命令を有し、前記第１の発見情報は、前記第１のＡＰによって利用される前記第１の動作チャネルの第１の識別子を含み、前記専用発見チャネルは、前記第１の動作チャネルと異なり、前記専用発見チャネルは、前記第１の技術基準仕様書と異なる第２の技術基準仕様書において指定された第２の周期間隔の間に第２の発見情報の送信のために局で共有され、前記第２の発見情報は、前記第２の技術基準に関連する、
第１のＡＰ。
【請求項２１】
前記第１の発見情報を送信することを行う前記命令は、前記プロセッサによって実行されると、前記第１のＡＰに、前記専用発見チャネル上でブロードキャストされる発見メッセージ中で前記第１の発見情報を送信することを行わせる命令を含む、
請求項２０に記載の第１のＡＰ。
【請求項２２】
前記第１の発見情報は、基本サービスセット（ＢＳＳ）情報、サービスセットアイデンティフィケーション（ＳＳＩＤ）、前記第１の動作チャネルのための動作パラメータ、前記第１のＡＰのワイヤレスサービス能力、サポートされるプロトコルのリスト、および前記第１のＡＰによって利用されている他のチャネルのリストから成るグループから選択された少なくとも１つのメンバをさらに含む、
請求項２０に記載のＡＰ。
【請求項２３】
前記第１の発見情報は、前記専用発見チャネル上で送信されたメッセージの技術指定ペイロード中に含まれ、
前記メッセージは、デバイスの第１のクラスおよびデバイスの第２のクラスによって復号可能であるヘッダを含み、前記ヘッダは、前記技術指定ペイロードの技術タイプを示し、
前記技術指定ペイロードは、前記技術タイプを利用するデバイスの前記第１のクラスによって復号可能であり、
前記技術指定ペイロードは、前記技術タイプを利用しないデバイスの前記第２のクラスによって無視される、
請求項２０に記載の第１のＡＰ。
【請求項２４】
前記専用発見チャネルは、プライマリ専用発見チャネルおよびセカンダリ専用発見チャネルを備え、前記命令は、前記ＡＰに、
前記プライマリ専用発見チャネルが使用できないと決定することと、
前記セカンダリ専用発見チャネルを介して前記第１の発見情報を送信することと
をさらに行わせる、請求項２０に記載の第１のＡＰ。
【請求項２５】
第１のアクセスポイント（ＡＰ）のプロセッサによって実行されると、前記第１のＡＰに、
無免許周波数帯域内の複数の動作チャネルの中からの、第１の技術を使用してネットワークへのワイヤレスアクセスを提供するために少なくとも第１の動作チャネルを利用することと、
第１の技術基準仕様書において指定された第１の周期間隔の間に、前記第１の技術基準仕様書において指定された専用発見チャネルを介して前記第１の技術に関連する第１の発見情報を送信することと
を行わせる命令記憶し、前記第１の発見情報は、前記第１のＡＰによって利用される前記第１の動作チャネルの第１の識別子を含み、前記専用発見チャネルは、前記第１の動作チャネルと異なり、前記専用発見チャネルは、前記第１の技術基準仕様書と異なる第２の技術基準仕様書において指定された第２の周期間隔の間に第２の発見情報の送信のために局で共有され、前記第２の発見情報は、第２の技術に関連する、
コンピュータ可読媒体。
【請求項２６】
システムであって、
無免許周波数帯域内の複数の動作チャネルの中からの、第１の技術を使用してネットワークへのワイヤレスアクセスを提供するために少なくとも第１の動作チャネルを利用するための手段と、
第１の技術基準仕様書において指定された第１の周期間隔の間に、第１の技術基準仕様書において指定された専用発見チャネルを介して前記第１の技術に関連する第１の発見情報を送信するための手段と
を備え、前記第１の発見情報は、前記第１のＡＰによって利用される前記第１の動作チャネルの第１の識別子を含み、前記専用発見チャネルは、前記第１の動作チャネルと異なり、前記専用発見チャネルは、前記第１の技術基準仕様書と異なる第２の技術基準仕様書において指定された第２の周期間隔の間に第２の発見情報の送信のために局で共有され、前記第２の発見情報は、第２の技術に関連する、
システム。
【手続補正２】
【補正対象書類名】明細書
【補正対象項目名】０１２７
【補正方法】変更
【補正の内容】
【０１２７】
[00145]同様に、動作が特定の順序で図面に図示されるが、これは、そのような動作が、望ましい結果を達成するために、示された特定の順序または連続した順序で行われること、または全ての例示された動作が行われることを必要とするものと理解されるべきでない。さらに、図面は、１つのより例示的なプロセスをフロー図の形式で概略的に図示し得る。しかしながら、図示されていない他の動作は、概略的に例示されている実例的なプロセス中に組み込まれることができる。例えば、１つまたは複数の追加の動作は、例示されている動作のいずれかの前に、後で、同時に、または間に行われ得る。ある特定の状況では、マルチタスクおよび平行処理が有利であり得る。さらに、上述された実装における様々なシステムコンポーネントの分離は、すべての実装においてそのような分離を必要とするものと理解されるべきではなく、説明されたプログラムコンポーネントおよびシステムが、概して、単一のソフトウェア製品に一体化されるか、または複数のソフトウェア製品にパッケージ化される得ることが理解されるべきである。加えて、他の実施形態は、下記の特許請求の範囲内にある。いくつかのケースでは、特許請求の範囲に記載されるアクションは、異なる順序で行われ、それでもなお望ましい結果を達成することができる。
以下に、本願出願の当初の特許請求の範囲に記載された発明を付記する。
［Ｃ１］
第１のアクセスポイント（ＡＰ）によって実行される方法であって、
無免許周波数帯内の複数の動作チャネルの中からの、ネットワークへのワイヤレスアクセスを提供するために少なくとも第１の動作チャネルを利用することと、
前記無免許周波数帯域のための専用発見チャネルを介して発見情報を送信することと
を備え、前記発見情報は、前記第１のＡＰによって利用される前記第１の動作チャネルの第１の識別子を含み、前記専用発見チャネルは、前記第１の動作チャネルと異なる、
方法。
［Ｃ２］
前記専用発見チャネルは、前記無免許周波数帯域内の前記複数の動作チャネルのうちの１つである、
［Ｃ１］に記載の方法。
［Ｃ３］
前記専用発見チャネルは、前記無免許周波数帯域の中央チャネル、最低の番号を付けられたチャネル、最高の番号を付けられたチャネルのうちの１つにロケートされる、
［Ｃ２］に記載の方法。
［Ｃ４］
前記無免許周波数帯域のための前記専用発見チャネルは、前記無免許周波数帯域の外側にロケートされる、
［Ｃ１］に記載の方法。
［Ｃ５］
前記発見情報を送信することは、前記専用発見チャネル上でブロードキャストされる発見メッセージ中に前記発見情報を含むことを備える、
［Ｃ１］に記載の方法。
［Ｃ６］
前記専用発見チャネルのロケーションは、前記１つまたは複数の局によって導入された少なくとも第１の技術基準によって指定される、
［Ｃ１］に記載の方法。
［Ｃ７］
前記発見情報を送信することは、第１の周期間隔に従って前記発見情報を送信することを備える、
［Ｃ１］に記載の方法。
［Ｃ８］
前記第１の周期間隔は、前記１つまたは複数の局によって導入された少なくとも第１の技術基準によって指定される、
［Ｃ７］に記載の方法。
［Ｃ９］
前記第１の技術基準によって指定された前記第１の周期間隔は、無免許周波数帯域を利用する他の局によって導入された第２の技術基準によって指定される第２の周期間隔と異なる、
［Ｃ８］に記載の方法。
［Ｃ１０］
前記発見情報は、基本サービスセット（ＢＳＳ）情報、サービスセットアイデンティフィケーション（ＳＳＩＤ）、前記第１の動作チャネルのための動作パラメータ、前記第１のＡＰのワイヤレスサービス能力、サポートされるプロトコルのリスト、および前記第１のＡＰによって利用されている他のチャネルのリストから成るグループから選択された少なくとも１つのメンバをさらに含む、
［Ｃ１］に記載の方法。
［Ｃ１１］
前記発見情報は、前記第１のＡＰが前記第１のＡＰと第１の局との間で共有された１つまたは複数の動作パラメータの交渉を許可することになるかどうかを示すインジケータをさらに含む、
［Ｃ１０］に記載の方法。
［Ｃ１２］
第２のＡＰによって利用される第２の動作チャネルを決定することと、
前記第１のＡＰによって利用される前記第１の動作チャネルおよび前記第２のＡＰによって利用される前記第２の動作チャネルを識別するアグリゲートされた発見情報を決定することと、
前記専用発見チャネル上で前記アグリゲートされた発見情報を送信することと
をさらに備える、［Ｃ１］に記載の方法。
［Ｃ１３］
前記発見情報は、前記専用発見チャネル上で送信されたメッセージの技術指定ペイロード中に含まれ、
前記メッセージは、デバイスの第１のクラスおよびデバイスの第２のクラスによって復号可能であるヘッダを含み、前記ヘッダは、前記技術指定ペイロードの技術タイプを示し、
前記技術指定ペイロードは、前記技術タイプを利用するデバイスの前記第１のタイプによって復号可能であり、
前記技術指定ペイロードは、前記技術タイプを利用しないデバイスの前記第２のタイプによって無視される、
［Ｃ１］に記載の方法。
［Ｃ１４］
前記第１の動作チャネルを利用することは、ＡＰ−管理されたスケジュールに従って前記第１の動作チャネル上での１つまたは複数の局のためのアップリンクおよびダウンリンク送信をスケジュールすることを備え、
前記発見情報を送信することは、
前記ＡＰ−管理されたスケジュールにおける不活性期間を決定することと、
前記第１の動作チャネルから前記専用発見チャネルに切り替えることと、
前記不活性期間の間前記専用発見チャネル上で前記発見情報を送信することと
を備える、［Ｃ１］に記載の方法。
［Ｃ１５］
前記専用発見チャネルは、前記複数の動作チャネルのうちの１つに関連付けられた周波数範囲にロケートされ、前記周波数範囲は、いくつかの時間期間の間前記専用発見チャネルとして使用され、前記周波数範囲は、他の時間期間の間、前記複数の動作チャネルのうちの１つとして使用される、
［Ｃ１］に記載の方法。
［Ｃ１６］
前記専用発見チャネルは、プライマリ専用発見チャネルおよびセカンダリ専用発見チャネルを備え、前記方法は、
前記プライマリ専用発見チャネルが使用できないと決定することと、
前記セカンダリ専用発見チャネルを介して前記発見情報を送信することと
をさらに備える、［Ｃ１］に記載の方法。
［Ｃ１７］
前記プライマリ専用発見チャネルが使用できないと決定することは、前記プライマリ専用発見チャネルが飽和したと決定することを備え、前記方法は、
前記発見情報が前記セカンダリ専用発見チャネルを介して送信されることになると示すために前記プライマリ専用発見チャネル上でインジケータを送信することをさらに備える、
［Ｃ１６］に記載の方法。
［Ｃ１８］
前記プライマリ専用発見チャネルが使用できないと決定することは、前記プライマリ専用発見チャネルが別の送信機からの信号干渉に起因して使用できないと決定することを備える、
［Ｃ１６］に記載の方法。
［Ｃ１９］
前記発見情報を送信することは、
前記発見情報を送信する前に前記専用発見チャネルにアクセスするのを求めて競合するために衝突回避メカニズムを利用することを備える、
［Ｃ１］に記載の方法。
［Ｃ２０］
前記発見情報を送信することは、前記専用発見チャネル上の第１のタイムスロット中で前記発見情報を送信することを含むことを備える、
［Ｃ１］に記載の方法。
［Ｃ２１］
前記第１のタイムスロットは、前記第１のＡＰおよび前記第２のＡＰを含むＡＰのグループによって共有され、ＡＰのグループ内の各ＡＰがタイムスロットの繰り返しのシーケンスにおける前記第１のスロットの存在の利用を順に交代する、
［Ｃ２０］に記載の方法。
［Ｃ２２］
前記第１のタイムスロットは、中央コントローラによって前記第１のＡＰによって割り当てられる、
［Ｃ２０］に記載の方法。
［Ｃ２３］
第１のアクセスポイント（ＡＰ）であって、
プロセッサと、
前記プロセッサに結合されたメモリと
を備え、前記プロセッサによって実行されると、前記第１のＡＰに、
無免許周波数帯内の複数の動作チャネルの中からの、ネットワークへのワイヤレスアクセスを提供するために少なくとも第１の動作チャネルを利用することと、
前記無免許周波数帯域のための専用発見チャネルを介して発見情報を送信することと
を行わせる命令を有し、前記発見情報は、前記第１のＡＰによって利用される前記第１の動作チャネルの第１の識別子を含み、前記専用発見チャネルは、前記第１の動作チャネルと異なる、
第１のＡＰ。
［Ｃ２４］
前記発見情報を送信することを行う前記命令は、前記プロセッサによって実行されると、前記第１のＡＰに、前記専用発見チャネル上でブロードキャストされる発見メッセージ中で前記発見情報を送信することを行わせる命令を含む、
［Ｃ２３］に記載の第１のＡＰ。
［Ｃ２５］
前記発見情報を送信することを行う前記命令は、前記プロセッサによって実行されると、前記第１のＡＰに、第１の周期間隔に従って前記発見情報を送信することを行わせる命令を含む、
［Ｃ２３］に記載の第１のＡＰ。
［Ｃ２６］
前記発見情報は、基本サービスセット（ＢＳＳ）情報、サービスセットアイデンティフィケーション（ＳＳＩＤ）、前記第１の動作チャネルのための動作パラメータ、前記第１のＡＰのワイヤレスサービス能力、サポートされるプロトコルのリスト、および前記第１のＡＰによって利用されている他のチャネルのリストから成るグループから選択された少なくとも１つのメンバをさらに含む、
［Ｃ２３］に記載のＡＰ。
［Ｃ２７］
前記発見情報は、前記専用発見チャネル上で送信されたメッセージの技術指定ペイロード中に含まれ、
前記メッセージは、デバイスの第１のクラスおよびデバイスの第２のクラスによって復号可能であるヘッダを含み、前記ヘッダは、前記技術指定ペイロードの技術タイプを示し、
前記技術指定ペイロードは、前記技術タイプを利用するデバイスの前記第１のタイプによって復号可能であり、
前記技術指定ペイロードは、前記技術タイプを利用しないデバイスの前記第２のタイプによって無視される、
［Ｃ２３］に記載の第１のＡＰ。
［Ｃ２８］
前記専用発見チャネルは、プライマリ専用発見チャネルおよびセカンダリ専用発見チャネルを備え、前記方法は、
前記プライマリ専用発見チャネルが使用できないと決定することと、
前記セカンダリ専用発見チャネルを介して前記発見情報を送信することと
をさらに備える、［Ｃ２３］に記載の第１のＡＰ。
［Ｃ２９］
第１のアクセスポイント（ＡＰ）のプロセッサによって実行されると、前記第１のＡＰに、
無免許周波数帯内の複数の動作チャネルの中からの、ネットワークへのワイヤレスアクセスを提供するために少なくとも第１の動作チャネルを利用することと、
前記無免許周波数帯域のための専用発見チャネルを介して発見情報を送信することと
を行わせる命令記憶し、前記発見情報は、前記第１のＡＰによって利用される前記第１の動作チャネルの第１の識別子を含み、前記専用発見チャネルは、前記第１の動作チャネルと異なる、
コンピュータ可読媒体。
［Ｃ３０］
システムであって、
無免許周波数帯内の複数の動作チャネルの中からの、ネットワークへのワイヤレスアクセスを提供するために少なくとも第１の動作チャネルを利用するための手段と、
前記無免許周波数帯域のための専用発見チャネルを介して発見情報を送信するための手段と
を備え、前記発見情報は、前記第１のＡＰによって利用される前記第１の動作チャネルの第１の識別子を含み、前記専用発見チャネルは、前記第１の動作チャネルと異なる、
システム。